(57)【要約】  本発明は、何らのビデオ又はマルチメディアデータも表示することが不可能な簡単な電話を使用して広域電気通信網を経由してビデオ電子メール及びマルチメディアシーケンスにアクセス及び表示する方法に関し、この電話は、セルラ又は簡単なアナログ電話であっても良い。本発明は、少なくとも１つの表示装置、例えばテレビスクリーンタイプの装置を、少なくとも１つのビデオソースに連結するためのビデオ及びマルチメディアインタフェース装置であって、一方であらゆるタイプのリアルタイムの又は録画したビデオフローを表示し、それを記憶させ、それを記録し、及び／又は電気通信網上でそれを送信することに適した処理装置を、かつ他方で少なくとも１つのスクリーンインタフェース、及びローカル又は広域ネットワークに接続するインタフェースを本質的に含むことを特徴とする装置にも同様に関する。
2005510965.tif 000002
【特許請求の範囲】
【請求項１】
−  広域電気通信網（３）によって関連するマルチメディアサーバ（５）にアクセスするために電話（２、１０）を利用すること；
−  関連するサーバ（５）で利用者の識別性及び許可を確認すること；
−  即時表示用、又は少なくとも１つの部分的記憶用、及び／又は録画表示用に前記広域電気通信網（３）に同様に連結された、識別されたビデオインタフェース装置（８）に、１件又は数件のビデオ又はマルチメディア電子メール、ビデオ又はマルチメディアデータ又はプログラム又はシーケンスの転送を注文すること；
−  利用者の命令で転送されるビデオ電子メール、又はプログラム、及び／又はシーケンスを他の方法で表示、転送、登録又は処理することからなるステップを含む、一定の条件でテレビスクリーンで表示するための簡単な単線電話又は音声セルラ若しくは移動電話からビデオ及びマルチメディア電子メールにアクセスする配給システム内で、装置を備えた許可された利用者による、広域電気通信網（３）のため、適合したマルチメディアサーバ（５）によって受信された及び／又は内に記憶された、ビデオ電子メール及び／又はプログラム及び／又はビデオシーケンスへのアクセス方法であって、
−  適合した転送プロトコル及び／又はデコーディング又はスクランブル解読ソフトウェアを前記サーバ（５）から前記ビデオインタフェース装置（８）に向けてプレロードするステップ
及び前記表示ステップの実行前に、可能な利用制限に応じた利用者の識別性、及びその権利の確認、電子メールの転送又は処理ステップを含むことを特徴とする方法。
【請求項２】
−  サーバの決定で、かつ前記サーバが可能な利用制限に応じた利用者の識別性及び権利を確認した後に、転送されるビデオ電子メール、又はプログラム、又はシーケンスを他の方法で表示、転送、登録又は処理することからなるステップを更に含むことを特徴とする請求項１に記載の方法。
【請求項３】
−  利用者及び／又はサーバに向けた前記ビデオインタフェース装置（８）の決定後の呼び出しで、かつ利用者の命令及びサーバの許可に応じて、可能な利用制限に応じた利用者の識別性及び権利の確認後に、転送されるビデオ電子メール、又はプログラム、又はシーケンスを他の方法で表示、転送、登録又は処理することからなるステップを更に含むことを特徴とする請求項１又は２に記載の方法。
【請求項４】
利用者の住居で、表示装置にマルチメディアコンテンツを表示するために、利用者の住居と論理的にリンクした固定電話又はセルラ電話の利用を含むことを特徴とする請求項１、２又は３に記載の方法。
【請求項５】
利用者の住居と異なる所定の場所で、表示装置にマルチメディアコンテンツを表示するために、利用者の住居と論理的にリンクした固定電話又はセルラ電話の利用を含むことを特徴とする請求項１、２又は３に記載の方法。
【請求項６】
利用者の住居で、表示装置にマルチメディアコンテンツを表示するために、利用者の住居と論理的にリンクしない固定電話又は利用者に属さないセルラ電話の利用を含むことを特徴とする請求項１、２又は３に記載の方法。
【請求項７】
利用者の住居と異なる所定の場所で、表示装置にマルチメディアコンテンツを表示するために、利用者の住居に属さない固定電話又は利用者に属さないセルラ電話の利用を含むことを特徴とする請求項１、２又は３に記載の方法。
【請求項８】
サーバは、利用者全体へ向けたマルチメディアコンテンツの送信、転送、拡散又は配給を決定することができることを特徴とする請求項１、２又は３に記載の方法。
【請求項９】
インタフェース装置（８）は、利用者全体へ向けたマルチメディアコンテンツの送信、転送、拡散又は配給を決定することができることを特徴とする請求項１、２又は３に記載の方法。
【請求項１０】
サーバ（５）、インタフェース装置（８）及び利用者間のリンクは、両方向性であり、かつマルチメディアデータの交換は、二方向で行われることを特徴とする請求項１から９の少なくとも１つに記載の方法。
【請求項１１】
利用者間のマルチメディア対話性を、前記利用者が互いに直接接続を有することなしに確保することを特徴とする請求項１から１０の少なくとも１つに記載の方法。
【請求項１２】
利用者全体は、サーバからのメディアコンテンツの送信、転送、拡散又は配給を、前記サーバが可能な利用制限に応じた利用者の識別性及び権利を確認した後に、決定できることを特徴とする請求項１から１１の少なくとも１つに記載の方法。
【請求項１３】
マルチメディアサーバ（５）は、モジュール（８）が、ビデオ電子メール又はマルチメディアコンテンツをハードディスク又はモジュール（８）のいかなる記憶装置にでも記憶させることを決定することを特徴とする請求項１、２又は３に記載の方法。
【請求項１４】
モジュール（８）自体は、ビデオ電子メール又はマルチメディアコンテンツをそのハードディスク又はその記憶装置に記憶させることを決定することを特徴とする請求項１、２又は３に記載の方法。
【請求項１５】
請求項１に記載の方法を実施するために、一定の条件でテレビスクリーンで表示するための簡単な単線電話又は音声セルラ若しくは移動電話からビデオ及びマルチメディア電子メールにアクセスする配給システムであって、一方で少なくともビデオ電子メール、プログラム及びビデオシーケンスを受信し、かつ記憶させ、かつ各々が広域電気通信網（３）に連結された１つ又は数個のマルチメディアサーバ（５）を、かつ他方で同様に広域電気通信網（３）に連結され、かつ利用者の住居又は利用者の住居と異なる所定の場所に設置された複数のビデオインタフェース装置（８）を本質的に含み、各ビデオインタフェース装置（８）は、少なくともテレビスクリーンタイプの表示装置（７）、及びセルラ電話（２）又は簡単な単線電話（１０）に結合され、前記電話及び前記表示装置は、利用者の住居及び利用者自身から独立しており、かつ前記電話は、サーバに接続される手段、サーバにより情報を受信、交換及び転送するための、サーバ又はビデオインタフェース装置によって表示装置に接続される手段、及びマルチメディアデータの転送及び交換に関与する手段を含み、サーバは、適合した転送プロトコル及び／又はデコーディング又はスクランブル解読ソフトウェアを前記サーバ（５）から前記ビデオインタフェース装置（８）に向けてプレロードする手段、及び前記表示ステップの実行前に、可能な利用制限に応じた利用者の識別性、及びその権利の確認、電子メールの転送又は処理手段を含むことを特徴とするシステム。
【請求項１６】
表示装置の特性に応じてマルチメディアデータのコンテンツを分析し、かつ変形させることを特徴とする請求項１５に記載の配給システム。
【請求項１７】
電気通信網の流量に応じてマルチメディアデータのコンテンツを分析し、かつ変形させることを特徴とする請求項１５に記載の配給システム。
【請求項１８】
利用者が支払う用意のある料金に応じてマルチメディアデータのコンテンツ及び流量を分析し、かつ変形させ、利用者は、流量、誤り率及び転送速度のような様々な転送パラメータを交渉する可能性を有することを特徴とする請求項１５に記載の配給システム。
【請求項１９】
マルチメディア容量の与えられた、又は与えられない様々な技術を結合し、かつ共存させることを可能にすることを特徴とする請求項１５に記載の配給システム。
【発明の詳細な説明】
【技術分野】
【０００１】
本発明は、許可された利用者によるあらゆるマルチメディア又はビデオ電子メール、あらゆるプログラム又はあらゆるマルチメディア又はビデオシーケンスへのアクセスに関し、かつテレビ受像機のような視覚化スクリーンへ、対話型のビデオ電子メール又はプログラム及び／又はマルチメディアシーケンスを送信する方法を提案し、送信は、単線又は多重線電話、移動電話、又はセルラ電話によって管理かつ制御され、この電話は、何らのビデオ又はマルチメディアデータも表示することが可能ではない。
【背景技術】
【０００２】
対話型マルチメディアサービスの需要は、次第に増大している。通信網、例えばオンデマンドビデオシステムに基づくマルチメディア情報配給システムは、拡大中であり、かつその複雑さによって特徴付けられる。しかしながら、多くの場合、これらの配給システムは、ユーザにおいて実施することには、非常に費用が掛かり、かつ安全性、利用への柔軟性、様々なクライアント及びその欲求への適応性に欠ける。
【０００３】
先行技術では、国際公開第００／１１８７１号パンフレットにより、利用者が、電気通信網を通じてコンテンツプロバイダによって配給されるサイトから選択されるメディアファイルを注文及びダウンロードするすることを可能にするシステム及び方法がすでに公知である。システムは、複数の利用者のサイトを含み、各々が、簡単な利用者インタフェース、複数のコンテンツプロバイダサイト、及びトランザクションサーバを有する容器内に位置付けられる受信及び表示又は読み取りサブシステムを含む。受信及び表示又は読み取りサブシステムは、利用者が利用可能なメディアファイルのリストにアクセスするために、電気通信網を通じてトランザクションサーバに接続されることを可能にする。その場合利用者は、所望のファイルを選択すること、及び受信器／表示器及び通信網を通じて、選択したファイルをダウンロードすることをトランザクションサーバに要求することが可能である。ファイルのデマンド、ファイル暗号化、及び転送命令は、トランザクションサーバから、要求されたファイルを記憶したコンテンツプロバイダサイトに向けて伝送される。コード化されたファイルは、コンテンツプロバイダサイトによって動的に暗号化され、かつ要求する読取り器／受信器に向けて保護されるようにダウンロードされる。読取り器／受信器は、ダウンロードされたファイルの暗号解読及びデコーディング、並びに従来の家庭用テレビ受像機及び／又はオーディオシステムを通してこれらのファイルの表示又は読み取りをオートメーション化し、かつ管理する。この先行技術は、利用者に固定アドレスにのみ位置することを強制する；その上、利用者は、マルチメディアデータを住居の外では受信することができない。本発明によれば、利用者は、ビデオ及びマルチメディアコンテンツを、世界中で、利用者が位置する場所とは無関係に受信することができる。
【０００４】
先行技術では、米国特許出願第５，７９０，１７４号明細書によって、ビデオ情報プロバイダから、複数の加入者中の１人又は数人の加入者に向けてビデオ信号を提供する公衆整流電話網（ＲＴＣ）も同様に公知である。加入者は、ビデオプログラムを注文するためにＲＴＣを通して標準の電話機か、又はパケットでＩＳＤＮ（Integrated Services Digital Network総合サービスデジタル網）若しくはＲＮＩＳ（Reseau Numerique a Integration de Servicesサービス総合デジタル網）網を通して専用の制御装置を利用する。デマンドは、指定されたビデオコンテンツプロバイダに向けて伝送され、かつデジタル伝送リンクが、ビデオ情報プロバイダ及び加入者へサービスを行う中央ステーションの間に確立される。中央ステーション及び加入者間の接続性は、ローカルループのインタフェース装置を通してＡＤＳＬ（Asymmetrical Digital Subscriber Line非対称デジタル加入者線）線によって確保される。インタフェース装置は、ビデオデジタル情報及び加入者用音声情報の間で周波数分割多重化を行い、かつビデオ情報プロバイダの方向でＩＳＤＮパケットによるネットワーク内で伝送するために中央ステーションに向けて加入者制御の逆方向チャネルの伝送をサポートする。インタフェースは、従来の電話接続性で、中央ステーション及び加入者間で基本及びオーディオ帯域での信号伝達も可能にする。
【０００５】
本発明は、電話装置が、利用者を識別するために、かつ前記利用者がマルチメディアデータを注文するために、サーバとのリンクを確立するためにのみ使用される、先行技術を改善する。本発明において、電話は、サーバに接続されるためだけでなく、サーバにより情報を受信、交換及び転送し、かつマルチメディアデータの転送及び交換に関与するために、サーバ又はインタフェースパッケージ装置によって表示装置と接続されるためにも使用される。更に電話は、固定電話であろうと、セルラ電話であろうと、利用者の住居、及び利用者自身から独立しており、並びに例えばテレビ受像機タイプの表示装置は、利用者及びその住居から独立している。
【０００６】
先行技術では、米国特許出願第５，７１２，９０６号明細書によって、マルチメディア情報サーバからの、かつ加入者が注文したマルチメディア情報信号の受信用中央ステーションを含む、マルチメディア情報サーバから複数の加入者中の少なくとも１人の加入者に向けて情報を提供する公衆ＲＴＣ網も同様に公知である。中央ステーションは、加入者の注文に応じて経路指定データを送信するゲートウェイシステム、及び経路指定データに応じて加入者に向けてサーバのマルチメディア信号の経路を指定する整流子を含む。中央ステーション内に存在するインタフェースは、第１、第２及び第３信号チャネル内でオーディオ電話サービス信号、加入者の制御信号及びデジタルマルチメディア情報信号を伝送し、かつ受信する。加入者の各局所は、３つの信号チャネル内でオーディオ電話サービス信号、加入者の制御信号及びデジタルマルチメディア情報信号を伝送し、かつ受信するためのインタフェースを含む。加入者の複数のローカルループは、加入者の各インタフェースを中央ステーションのインタフェースと相互接続する。マルチメディア情報は、情報プロバイダから集められ、かつデータ及び制御セッションライブラリを提供するメディアサーバ内に記憶される。常駐端末及びメディアサーバ内のソフトウェアモジュールは、マルチメディア対話型セッション、データベース交換及び付随したマルチメディアプレゼンテーションの準備を確立する。
【０００７】
本発明は、利用者が、固定アドレスにのみ位置することができ、かつ住居以外の場所でマルチメディアデータを受信できない、先行技術を改善する。この実施によれば、利用者は、位置する場所と無関係にマルチメディアデータを受信することができる。先行技術では、デマンドの通信は、クライアント−サーバの単方向性方位に、ビデオ情報転送は、サーバ−クライアント単方向方位にのみ実行される。本発明において、通信は、両方向性であり、例えばサーバは、情報を１人の利用者か、又は利用者全体に送信することを、利用者がそのデマンドを行うことなく決定することができる。サーバは、クライアントの位置決定及び現場に存在する表示装置のタイプに応じてマルチメディア情報をもう１つのサーバに転送することを決定すること、及び情報の利用可能性を利用者に予告することも同様に可能である。
【０００８】
先行技術では、米国特許出願第５，８０２，２８３号明細書によって、マルチメディア情報サーバからの、かつ加入者が注文したマルチメディア情報信号の受信用中央ステーションを含む、マルチメディア情報サーバから複数の加入者中の任意の加入者に向けて情報を提供する公衆ＲＴＣ網も同様に公知である。この特許は、前に引用した特許（米国第５，７１２，９０６号）のファミリーの一部をなす。それは、例えば会議ビデオの枠内で、マルチメディア情報を２人の利用者間で転送及びリダイレクトし得るという特徴を有する装置によって米国特許第５，８０２，２８３号から区別され、利用者は、その住居でしか情報を受信できない。
【０００９】
本発明は、利用者の移動度に応じた個人化可能であり、かつ柔軟なシステム及び装置を提案する。本発明のもう１つの利点は、サーバが、クライアントのオンデマンドで、又はデマンドなしで巡回するクライアントの位置決定に応じてデータをリダイレクトする決定を行うことである。サーバは、マルチメディア情報を利用者全体に拡散させることを決定することが同様にできる。２人の利用者が直接接続を確立しながらメディア情報を交換することができる先行技術と異なり、本発明では、２人の利用者が互いに直接接続を確立せずに、但しマルチメディア情報を、第１利用者の住居で例えばテレビタイプの表示装置上に、第２利用者の住居の固定電話からリダイレクトしてメディアデータを交換することができる。本発明は、実施例によって記載される。
【００１０】
本発明によって解決する主な問題は、簡単な電話によって様々なビデオ又はマルチメディアデータへのアクセスを提供することであり、この電話は、マルチメディアの能力及び可能性を有さない。
【００１１】
現在の解決法では、携帯電話がマルチメディア及び／又はビデオタイプの情報を表示することが可能である場合のみ、携帯電話でマルチメディア電子メッセージ又はメールを受信することが可能である。反対の場合、すなわちセルラ電話がビデオ又はマルチメディア情報を表示するいかなる可能性も有さないならば、このタイプのメッセージの参照−視覚化は、可能でない。
【発明の開示】
【発明が解決しようとする課題】
【００１２】
本発明によれば、マルチメディア又はビデオタイプのデータを含む電子メッセージ又はメールをいかなる移動又はセルラ電話によっても受信することが、この電話が、固定又はアニメーション画像のいかなる表示能力も有さなくても、可能であり、その場合目的は、例えばテレビ受像機のようなスクリーン上にこれらの画像を視覚化することである。
【００１３】
本発明のもう１つの可能性は、セルラ電話で受信したマルチメディアメッセージの読み取り、視覚化及び表示を、セルラ電話をセルラネットワークに接続することを必要とせずに、単線又は多重線の、アナログ又はデジタルの古典的な簡単な電話機から要求することが可能なことである。
【課題を解決するための手段】
【００１４】
本発明によれば、前述の目的は、少なくとも１つの表示装置、例えばテレビスクリーンタイプの装置を、少なくとも１つのビデオ及びマルチメディアソースにリンクするビデオインタフェース装置であって、一方でプレロードされたデコーディング及びスクランブル解読プログラムに従ってあらゆるタイプのビデオフローを、リアルタイム又は録画でそれを表示し、それを記憶させ、それを記録し、及び／又は電気通信網上でそれを送信するように、処理すること、特にデコード及びスクランブルを解くことに適したデジタル処理装置を、かつ他方で少なくとも１つのスクリーンインタフェース、少なくとも１つの記憶又は記録インタフェース、ローカル又は広域網接続インタフェース、利用者通信及び制御インタフェースを主に含むモジュールからなり、前記インタフェースは、前記処理装置にリンクされ、かつ前記処理装置によって操縦され、かつ好ましくは、前記モジュール内に又は上に取り付けられることを特徴とする装置の提供によって達成される。
【００１５】
本発明はその最も一般的な意味において：
−  広域電気通信網（３）によって関連するマルチメディアサーバ（５）にアクセスするために電話（２、１０）を利用すること；
−  関連するサーバ（５）で利用者の識別性及び許可を確認すること；
−  即時表示用、又は少なくとも１つの部分的記憶用、及び／又は録画表示用に前記広域電気通信網（３）に同様に連結された、識別されたビデオインタフェース装置（８）に、１件又は数件のビデオ又はマルチメディア電子メール、ビデオ又はマルチメディアデータ又はプログラム又はシーケンスの転送を注文すること；
−  利用者の命令で転送されるビデオ電子メール、又はプログラム、及び／又はシーケンスを他の方法で表示、転送、登録又は処理することからなるステップを含む、一定の条件でテレビスクリーンで表示するための簡単な単線電話又は音声セルラ若しくは移動電話からビデオ及びマルチメディア電子メールにアクセスする配給システム内で、装置を備えた許可された利用者による、広域電気通信網（３）のため、適合したマルチメディアサーバ（５）によって受信された及び／又は内に記憶された、ビデオ電子メール及び／又はプログラム及び／又はビデオシーケンスへのアクセス方法であって、
−  適合した転送プロトコル及び／又はデコーディング又はスクランブル解読ソフトウェアを前記サーバ（５）から前記ビデオインタフェース装置（８）に向けてプレロードするステップ
及び前記表示ステップの実行前に、可能な利用制限に応じた利用者の識別性、及びその権利の確認、電子メールの転送又は処理ステップを含むことを特徴とする方法に関する。
【００１６】
好ましくは、方法は：
−  サーバの決定で、かつ前記サーバが可能な利用制限に応じた利用者の識別性及び権利を確認した後に、転送されるビデオ電子メール、又はプログラム、又はシーケンスを他の方法で表示、転送、登録又は処理することからなるステップを更に含む。
【００１７】
好適には、方法は：
−  利用者及び／又はサーバに向けた前記ビデオインタフェース装置（８）の決定後の呼び出しで、かつ利用者の命令及びサーバの許可に応じて、可能な利用制限に応じた利用者の識別性及び権利の確認後に、転送されるビデオ電子メール、又はプログラム、又はシーケンスを他の方法で表示、転送、登録又は処理することからなるステップを更に含む。
【００１８】
応用例によれば、方法は、利用者の住居で、表示装置にマルチメディアコンテンツを表示するために、利用者の住居と論理的にリンクした固定電話又はセルラ電話の利用を含む。
【００１９】
もう１つの応用例によれば、方法は、利用者の住居と異なる所定の場所で、表示装置にマルチメディアコンテンツを表示するために、利用者の住居と論理的にリンクした固定電話又はセルラ電話の利用を含む。
【００２０】
特殊な実施態様によれば、方法は、利用者の住居で、表示装置にマルチメディアコンテンツを表示するために、利用者の住居と論理的にリンクしない固定電話又は利用者に属さないセルラ電話の利用を含む。
【００２１】
もう１つの特殊な実施態様によれば、方法は、利用者の住居と異なる所定の場所で、表示装置にマルチメディアコンテンツを表示するために、利用者の住居に属さない固定電話又は利用者に属さないセルラ電話の利用を含む。
【００２２】
好ましくは、サーバは、利用者全体へ向けたマルチメディアコンテンツの送信、転送、拡散又は配給を決定することができる。
【００２３】
好ましくは、インタフェース装置（８）は、利用者全体へ向けたマルチメディアコンテンツの送信、転送、拡散又は配給を決定することができる。
【００２４】
応用例によれば、サーバ（５）、インタフェース装置（８）及び利用者間のリンクは、両方向性であり、かつマルチメディアデータの交換は、二方向で行われる。
【００２５】
もう１つの応用例によれば、方法は、利用者間のマルチメディア対話性を、前記利用者が互いに直接接続を有することなしに確保する。
【００２６】
好適には、利用者全体は、サーバからのメディアコンテンツの送信、転送、拡散又は配給を、前記サーバが可能な利用制限に応じた利用者の識別性及び権利を確認した後に、決定することができる。
【００２７】
特殊な実施態様によれば、マルチメディアサーバ（５）は、モジュール（８）が、ビデオ電子メール又はマルチメディアコンテンツをハードディスク又はモジュール（８）のいかなる記憶装置にでも記憶させることを決定する。
【００２８】
特殊な実施態様によれば、モジュール（８）自体は、ビデオ電子メール又はマルチメディアコンテンツをそのハードディスク又はその記憶装置に記憶させることを決定する。
【００２９】
本発明は、前記の方法を実施するために、一定の条件でテレビスクリーンで表示するための簡単な単線電話又は音声セルラ若しくは移動電話からビデオ及びマルチメディア電子メールにアクセスする配給システムであって、一方で少なくともビデオ電子メール、プログラム及びビデオシーケンスを受信し、かつ記憶させ、かつ各々が広域電気通信網（３）に連結された１つ又は数個のマルチメディアサーバ（５）を、かつ他方で同様に広域電気通信網（３）に連結され、かつ利用者の住居又は利用者の住居と異なる所定の場所に設置された複数のビデオインタフェース装置（８）を本質的に含み、各ビデオインタフェース装置（８）は、少なくともテレビスクリーンタイプの表示装置（７）、及びセルラ電話（２）又は簡単な単線電話（１０）に結合され、前記電話及び前記表示装置は、利用者の住居及び利用者自身から独立しており、かつ前記電話は、サーバに接続される手段、サーバにより情報を受信、交換及び転送するための、サーバ又はビデオインタフェース装置によって表示装置に接続される手段、及びマルチメディアデータの転送及び交換に関与する手段を含み、サーバは、適合した転送プロトコル及び／又はデコーディング又はスクランブル解読ソフトウェアを前記サーバ（５）から前記ビデオインタフェース装置（８）に向けてプレロードする手段、及び前記表示ステップの実行前に、可能な利用制限に応じた利用者の識別性、及びその権利の確認、電子メールの転送又は処理手段を含むことを特徴とするシステムにも同様に関する。
【００３０】
好ましくは、システムは、表示装置の特性に応じてマルチメディアデータのコンテンツを分析し、かつ変形させる。
【００３１】
好適には、システムは、電気通信網の流量に応じてマルチメディアデータのコンテンツを分析し、かつ変形させる。
【００３２】
応用例によれば、システムは、利用者が支払う用意のある料金に応じてマルチメディアデータのコンテンツ及び流量を分析し、かつ変形させ、利用者は、流量、誤り率及び転送速度のような様々な転送パラメータを交渉する可能性を有する。
【００３３】
もう１つの応用例によれば、システムは、マルチメディア容量の与えられた、又は与えられない様々な技術を結合し、かつ共存させることを可能にする。
【００３４】
特殊な実施態様によれば、スクリーンのインタフェースは、無線スクリーンインタフェース及び／又はケーブルによる標準スクリーンインタフェースの接続を含む。
【００３５】
もう１つの実施態様によれば、ネットワークへの接続インタフェースは、広域電気通信網に直接的に又はアクセスネットワークとして役立つローカルネットワークによって結合され、かつモデム、衛星又はケーブルインタフェースのようなデジタル加入者線インタフェース、光ファイバ線インタフェース、又は無線通信用のヘルツインタフェースからなる。
【００３６】
特殊な実施態様によれば、好ましくは全ての前記インタフェースを含むモジュールは、適切な保護容器内に取り付けられた独立した装置を構成する。
【００３７】
好適には、モジュール及び好ましくは、全てのインタフェースは、テレビ受像機内部で、前記テレビの電子制御カードに、又は少なくとも部分的に別個のカードに取り付けられる。
【００３８】
本発明は、一定の条件で適合したスクリーンで表示するための、許可された利用者又は加入者システムに向けた広域電気通信網でビデオプログラム及びマルチメディアシーケンスを転送する配給システムであって、一方で少なくともプログラム及びビデオシーケンスを受信し、かつ記憶させ、かつ各々が広域電気通信網に直接的に又はポータル又はポータルサーバ及び／又はアクセスネットワークによって連結された１つ又は数個のマルチメディアサーバを、かつ他方で同様に広域網に連結され、かつ利用者の住居又は所定の場所に設置された上記複数のビデオインタフェース装置から本質的に構成され、各ビデオインタフェース装置は、少なくともテレビスクリーンタイプの表示装置に結合されることを特徴とするシステムにも同様に関する。
【００３９】
本発明は、一定の条件で適合したスクリーンで表示するための、許可された利用者又は加入者システムに向けた広域電気通信網でビデオプログラム及びマルチメディアシーケンスを転送する配給システムであって、組み込まれたスクリーンによって有線又は無線電気通信網に連結される個人情報機器タイプの受信器のような表示装置を組み込む、複数のビデオインタフェース装置から同様に構成されることを特徴とするシステムにも同様に関する。
【００４０】
ポータルサーバは、マルチメディアサーバに要求する必要がなく、いかなるモジュールにも送信できるようにマルチメディアコンテンツの一部又は全部を記憶させることができる。ポータルサーバは、利用者又は利用者全体に、個人化されたマルチメディアデータ又は同じ視聴覚メッセージを利用者側からのデマンドにより、又はデマンドなしで拡散させることを決定することができる。サーバは、利用者又は利用者全体の巡回する位置決定に応じて情報を一方又は他方のメディアサーバに向けてリダイレクトすることを決定することも同様にできる。
【００４１】
実施例では、サーバは、マルチメディアデータを、クライアントがマルチメディアデータを参照し、かつそれらを他の利用者に向けてリダイレクトすることができる、例えば企業ネットワーク又は家庭用ネットワークのようなＬＡＮ（Local Area Networkローカルエリアネットワーク）タイプのサーバに向けて送信する。
【００４２】
モジュールは、利用者が休止することを望む時に入るデータのフローを遮断するか、又は後ろ戻りを行いながら以前のコンテンツを改めて要求する必要がないように、マルチメディアコンテンツの全部又は一部をそのハードディスク又は例えばフラッシュメモリのようないかなる他の記憶装置にでも記憶させることが同様にできる。ポータルサーバは、モジュールがマルチメディアコンテンツを、ハードディスク又はインタフェースモジュール８の記憶装置に記憶させるべきであるか、決定できる。
【００４３】
モジュール８自体は、マルチメディアコンテンツをそのハードディスク又はその記憶装置に記憶させることを決定できる。
【００４４】
本発明は、本発明の物理的基礎を示す以下の説明によって、かつ非限定的な実施例として本発明の好ましい実施態様を表す添付の図面を参照してより良く理解されるであろう。
【発明を実施するための最良の形態】
【００４５】
ビデオインタフェース装置８は、少なくとも１つの表示装置、例えばテレビスクリーンタイプの装置１を少なくとも１つの電気通信網６のインタフェースに連結することに適している。本発明によれば、この装置は、一方でプレロードされたデコーディング及びスクランブル解読ソフトウェアプログラムに従って、あらゆるタイプのビデオフローを、リアルタイム又は録画でそれを表示し、それを記憶させ、それを記録し、及び／又は電気通信網上でそれを送信するように、処理すること、特にデコード及びスクランブルを解くことに適した処理装置を、かつ他方で少なくとも１つのスクリーンインタフェース７、及びローカル又は広域網６への接続インタフェースを主に含むモジュール８からなる。
【００４６】
モジュール１のハードディスク又は記憶装置は、録画の視覚化、又は伝送網の通過帯域内の制限の場合に表示するプログラム又はビデオシーケンスの少なくとも１部を一時的に記憶させるバッファメモリとして使用され得る。視覚化は、利用者又はポータルサーバのデマンドで遅らされるか、延ばされ得る。
【００４７】
図１に示すように、ネットワーク６の接続インタフェースは、広域電気通信網３に直接的に又はアクセスネットワークとして役立つローカルネットワークによって連結され、かつ例えば、モデム、衛星モデム又はケーブルモデムのようなデジタル加入者線（ＤＳＬ）インタフェース、光ファイバ線インタフェース、又は無線通信用の無線又は赤外線インタフェースからなる。
【００４８】
モジュール８は、利用者を案内するための図形情報を、画像／デコードされた画像上に重ね写して表示することも同様に可能である。情報、例えばメッセージを、それが各クライアント又はクライアント全体にとって企業のメッセージであろうと、個人的メッセージであろうと、参照し、ダウンロードし、リダイレクトし、記憶させ、かつ拡散させるために、モジュール１０又はモジュール２又はサーバ４を呼び出すことを決定することも同様に可能である。
【００４９】
保護容器又はテレビ受像機は、インタフェース（その構造及び伝送プロトコルは、当業者に公知である）の外に、データを受理し、かつそれをその組み込まれたスクリーンに直接的に、又はテレビスクリーンに間接的に表示するように、個人情報機器ＰＤＡ（Personal Digital Assistant）タイプのこれらのインタフェースに連結された周辺機器の一部、又は電波を受信し得る他のあらゆる受信器も同様に組み込み得る。
【００５０】
本発明は、データにアクセスするために、消費者によって利用される物理的装置にも同様に関する。この物理的装置は、利用者の住居、又は一定の場所に位置する。それは、視聴者の選択に従って示す適切な情報を管理する機能性一式を提供し、かつ例えばＰＤＡ又は個人情報機器タイプの、他のいかなる受信器に向けても電波を送信することがそれ自体で可能な、遠隔サーバとの接続及び通信を管理する。
【００５１】
本発明は、一定の条件で適合したスクリーン１で表示するための、許可された利用者又は加入者システムに向けた広域網３でコードされたビデオプログラム及びマルチメディアシーケンスを転送する配給システムであって、一方で少なくともプログラム及びビデオ及びマルチメディアシーケンスを受信し、かつ記憶させ、かつ各々が広域電気通信網３に直接的に又はポータル又はポータルサーバ及び／又はアクセスネットワークによって連結された１つ又は数個のマルチメディアサーバ５を、かつ他方で同様に広域網３に連結され、かつ利用者の住居又は利用者にとってアクセス可能な所定の場所に設置された、前に記載した複数のビデオインタフェース装置８から本質的に構成され、各ビデオインタフェース装置８は、少なくともテレビスクリーンタイプ１の表示装置に結合されることを特徴とするシステムにも同様に関する。
【００５２】
本発明によれば、マルチメディアサーバ５は、ビデオデータのコーディング、コード変換及び混信手段、特に暗号化及びセキュリティ情報をシーケンスの最初及び間中で加える手段を含む。
【００５３】
本発明は、ビデオ電子メールのようなビデオデータを中心として特に展開しているが、いかなる対話型マルチメディア情報も、かついかなる対話型データも、本装置及び本システムによって処理され得、ビデオデータが最も精密に作成されることが理解される。
【００５４】
サーバ５は、いかなる種類のマルチメディア情報にもアクセスを与えるために、電話、ウェブ及びインターネットの標準容量を提供する。それは、マルチメディア情報を、利用者が一時的に居る場所にリダイレクトし得るために、システムの１部を成すのであろうと、成さないのであろうと、いかなるマルチメディアサーバにも接続することを望む、いかなる利用者の加入契約も同様に確認し、管理し、かつ作成する。
【００５５】
使用者は、その簡単なセルラ電話からその電子メール又はマルチメディアメッセージを参照するために、従来のようにメッセージ通信システムを呼び出し、次にメッセージを視覚化する時に、ビデオ及びマルチメディア部分をそのテレビ受像機上で参照することを望むことを、そのメッセージ通信システムに示す。問題のテレビ受像機の位置する場所は、メッセージ通信システムに予め示され得たであろうが、テレビ受像機の場所及び従ってアドレスは、セルラ電話番号又は幾つかのセルラ電話番号及び／又はそれらのボイス及びマルチメディアメールボックスに関連する。
【００５６】
本発明のもう１つの可能性は、メッセージ通信システムに、使用者がその正確な時点でメッセージを見ることを望むテレビ受像機を指定するための一時アドレスを示しながらであるが、そのセルラ電話からマルチメディアメッセージの参照を注文することを可能にする。
【００５７】
本発明の可能なもう１つの実施は、メッセージ通信システムに、使用者がその正確な時点でメッセージを見ることを望むテレビ受像機を指定するための一時アドレスを示しながら、利用者の住居の外の、任意のセルラ電話又は固定電話からそのマルチメディアメッセージの参照を注文することを可能にする。本発明のもう１つの可能性は、簡単な電話機からマルチメディアボイスメールボックスを参照しながら、テレビ受像機での視覚化を注文することを可能にする。この可能性は、セルラネットワークが飽和状態であるからにせよ、セルラ受信−発信状態が良質でないからにせよ、セルラネットワークがなくても、又はセルラ電話がなくてもメッセージの参照を可能にするという利点を有する。この場合、簡単な電話機から、使用者はそのボイスメールボックスの参照番号を回し、そのボイスメールボックス番号を回して識別され、次にそのボイスメールボックスに関連したテレビ受像機上でマルチメディアメッセージを参照することを欲するか、又は使用者がボイスメッセージ通信システムとのこの電話リンクを確立した、古典的な電話機の電話のキーを経由して論理アドレスを示す、もう１つのテレビ受像機上でメッセージを視覚化することを望むかを、電話のキーにより示す。
【００５８】
本発明のもう１つの可能な実施は、メッセージ通信システムに、使用者が、サーバがマルチメディアデータを送信することを望むテレビ受像機を指定するための一時アドレスを示しながら、利用者の住居の外の、任意のセルラ又は固定電話からそのマルチメディアメッセージの参照を注文し、テレビ受像機は、第２の使用者の住居にあり、かつサーバによる２人の使用者の権利確認後、第２使用者のテレビスクリーン上にマルチメディアデータを表示することを可能にする。
【００５９】
利用者は、ビデオ及びマルチメディアサーバ５へのアクセスを行うために、メッセージ通信サーバを呼び出さねばならない。これを行うために、利用者は、電話機２、１０を取り、かつ受話器を外した後、広域電気通信網３にあるメッセージ通信システムへのアクセス番号を電話で回し、この電話は、単線若しくは多重線１０であるか、又は移動若しくはセルラ電話２であり、マルチメディア表示のいかなる可能性も有さない。
【００６０】
メッセージ通信システム５は、電気通信網３を通して発呼者の番号が利用できるか、発呼者の番号を自動的に識別し、反する場合にメッセージ通信システム５は、利用者にその電話のキー１０又は２でメッセージ通信番号を回して識別されることを要求する。
【００６１】
識別は、その固有の電話番号を回してか、但しこの場合ボイス及びマルチメディアメールボックスの番号、及び電話番号の間の照応がメッセージ通信システム５によって自動的になされるが、又は利用者によってキー１０又は２で回された番号、及び電気通信網３ににあるビデオ及びマルチメディアメッセージ通信メールボックス５の番号の間の直接的識別性によってなされ得る。
【００６２】
利用加入者は、世界中どこにでも居ることができ、かつシステムのサーバ５に連絡するために、いかなる受話器も使用することができる。その電話の識別番号を自動的に送信するような、適合したセキュリティ手続きを利用して、利用者は、サーバ５によって正しい加入者であると認識され、かつそのモジュール８（利用者が居る場所のモジュール）にダウンロードされるために、あらゆるビデオ電子メール又はあらゆるマルチメディアプログラムをあらゆるマルチメディアサーバ５から抽出することができる。
【００６３】
ビデオ電子メール又はマルチメディアプログラムは、次にそのモジュール８に対して送信され、かつ利用者がそのテレビスクリーンに向き合っているか、その近傍に居るのであれば、テレビスクリーン１に自動的に表示される；さもなければ、マルチメディアプログラムは、そのモジュール８のハードディスクに記憶される。
【００６４】
利用者のデマンドで、ビデオ電子メール又はマルチメディアプログラムは、利用者がマルチメディアプログラムが、もう１つのスクリーンに向かって再伝送されることを必要とするならば、モジュール８に連結された他のいかなるテレビのスクリーン又は装置に向かっても再送信され得る。
【００６５】
もう１つの可能性は、サーバが利用者に情報を、例えば利用者全体に向けられた個人化されたマルチメディア電子メッセージ又はマルチメディア視聴覚メッセージを送信することを決定することであり、この場合、電子メールは、直ちに表示されるためにモジュール８に中継で伝送されるか、又は録画で視覚化されるために、利用者が居る場所のモジュール８にダウンロードされる。
【００６６】
もう１つの可能性は、サーバが利用者に情報を、例えばマルチメディア電子メッセージを送信することを決定することであり、この場合、各電子メールは、利用者が居る場所のモジュール８にダウンロードされ、次にモジュール８は、利用者に通告することを決定する。
【００６７】
本発明のシステムの好ましい実施例を、図２に示す。
【００６８】
クライアント２１は、クライアント（２１、２３、９７）のリストを有する表、及び各クライアントに関して識別性を含むポータルかつマルチメディアサーバ５へ、ネットワーク連結２２によってその携帯電話のために接続される。ポータルかつマルチメディアサーバ５は、優先又はデフォルト表示装置による、各クライアント（それぞれリンク６１、６２、６３によってネットワークに連結された、例えばインタフェース装置８１、８２、８３の物理的アドレス）の表示装置のリストを有する表も同様に含む。クライアント２１のデマンドで、ポータルサーバ５は、そのリスト中の表示装置のアドレス又は電話番号を消す又は加えることができる。クライアントのプロフィール及び習慣に応じて、サーバは、利用者のマルチメディアメールの記憶パラメータ、又は伝送線６１、６２及び６３の流量に応じて、優先位置にアドレス表中の表示装置８１、８２又は８３の識別子を分類することができる。ポータルサーバに接続されるためには、利用者２１は、電話のキーから、サーバ５のアドレスを回す。もう１つの応用例は、サーバへの接続を行うための電話を経由した音声認識による識別である。
【００６９】
サーバ５は、３つの部分から構成されるディレクトリを含む：すなわち、利用者の識別子リストを含む表、スクリーン１１、１２及び１３に関する視覚化端末８１、８２及び８３の識別子（例えばインタフェース装置の番号（セットトップボックス又はＳＴＢ））のリストを有する表、及び各クライアントに対応する常設及び一時電話番号のリストを有する表である。
【００７０】
利用者の表示端末及び電話番号のリストを含む表は、数人のクライアントによって共有され、このようにして表示端末及び利用者の間の透明な相互運用性を確保する。ポータルサーバ５は、数人のクライアントのために、これらクライアントのデマンドで、又は端末の利用可能性、クライアントの地理的位置決定、各クライアントによって要求される流量、又は要求されたマルチメディアメール転送の緊急度に応じたサーバの決定により同じ表示装置を複製し得る。表中に含まれる情報は、サーバ５によって、又はクライアント２１、２３又は９７のデマンドでパラメータ化可能である。呼び出す電話は、数人のクライアントによって同様に共有され得る。この場合、ポータルサーバは、電話番号及び各クライアントの個人識別子を識別する。
【００７１】
利用者２１が、ポータルかつマルチメディアサーバ５に接続される時、かつ電話及び利用者の識別後に、利用者は、そのマルチメディアメールを視覚化することを望む表示装置８１、８２又は８３のアドレスを指定して、そのマルチメディアメールを参照する希望をサーバに到達させる。ポータルサーバは、表示装置を識別し、表示装置と接続状態になり、かつハードディスク又は例えばインタフェース装置の記録装置（ＳＴＢ）８１に一時的に転送される、情報を回収するためにそのマルチメディアデータベースに問い合わせる。クライアントは、データを視覚化し、かつそれらをハードディスク又はＳＴＢの保護装置８１上で保護するか否かを決定する。もう１つの応用例によれば、ポータルサーバ又はＳＴＢは、マルチメディアデータのＳＴＢの保護装置上での一時又は常設記憶に関して、そのコンテンツ分析、日付、又は利用可能な位置に応じて、決定することができる。もう１つの応用例によれば、サーバ５は、クライアントの権利、プロフィール及び習慣に応じて、クライアントの優先アドレスを有するＳＴＢのハードディスクに対するデータを前もって送信することを決定することができ、かつその後でクライアントにデータ転送を示すために、クライアントの優先電話にメッセージを送信することができる。クライアントは、サーバ又は任意の送信者に由来するマルチメディアデータの受信をクライアントに通知するＳＴＢによって同様に接触され得る。
【００７２】
利用者２１が、マルチメディアコンテンツを送信することを望む時、かつサーバへの接続、識別及びデータ転送に適したプロトコルのロード後に、ＳＴＢは、２つの別個のフローをサーバに向かって送信する：すなわち、一方は受信者の識別、その優先電話番号及び例えばデフォルト表示装置の番号を含む。第２フローはビデオ、オーディオ又はテキストタイプのマルチメディアデータを含む。サーバは、２つのフローを回収し、かつコンテンツを例えばリンク２４を経由して受信者２３に向けて到達させる。サーバは、送信者によって要求された端末とは別の端末に向けてコンテンツを送信することを決定すること、又は各クライアントに関してサーバのデータテーブル中に記憶された受信者の一時特性及びプロフィールに応じて、他の電話番号で受信者と接触することもできる。サーバは、送信されたコンテンツを一時的に記憶させること、又は受信者のＳＴＢのハードディスクに対してそれを送信すること、又はマルチメディア情報のコンテンツに応じて受信者のためのメッセージを作成することも同様に決定する。サーバは、電気通信網の容量、情報量、そのコンテンツ及び／又は受信クライアントのプロフィールに応じて、利用者のデマンドなしに、コンテンツの転送時期に関しても同様に決定する。
【００７３】
ポータルかつマルチメディアサーバ５、及びＳＴＢ８は、マルチメディアコンテンツの分析及び変形ツールを同様に含む。例えば、それらは、電気通信網で利用可能な流量及びデータ回収及び送信に関して利用者が支払う用意がある料金に応じてコンテンツのフォーマットを変更することができる。サーバ及びＳＴＢも、表示スクリーン１１、１２又は１３のサイズ、タイプ及び規格に応じてマルチメディアデータのフォーマットを変更し、かつ連結７１、７２又は７３を経由してこれらのスクリーンに向けてそれらを送信し、例えば、自動車のスクリーン又は携帯用テレビ受像機に表示するために、ＤＶＤフォーマットに由来する画像のサイズを減少させることができる。サーバ及びＳＴＢは、利用者が接続される電話のタイプに応じてメッセージを同様に変形させ、このようにして幾つかの電話規格の共存を確保する。
【００７４】
このようにして、サーバ及びＳＴＢは、マルチメディアコンテンツを互換フォーマットに適応させ、かつ様々なマルチメディア及び電話規格の共存及び相互運用性を確保する。本発明の装置は、マルチメディア情報のコンテンツ、ネットワークの容量、表示装置、クライアントの電話及びプロフィール（習慣、支払い、一時位置決定）に応じて、自己決定及び自己適応型の様々な電気通信手段に応じて変化する。システムのアーキテクチャは、サービスの個人化、様々な技術の相互運用性、及び数人の利用者間の直接又は間接的な対話性を可能にする。
【００７５】
サーバ５及びＳＴＢ８は、特性に応じて利用者全体に向けた、マルチメディアメッセージの自動転送に関して決定することができる。
【００７６】
装置は、クライアントと接触し、転送条件、クライアントの位置決定及び／又はプロフィールにコンテンツを適合させるためにコンテンツを転送し、分析し、かつ変更する決定能力に基づき変化する。
【００７７】
１つの応用例は、電気通信網３を通してマルチメディアデータを転送することである。利用者２１は、簡単なＧＳＭ（Global System for Mobile広域移動体システム）電話を備え、かつ無線連結２４を経由してネットワークに連結された利用者２３に視聴覚情報を送信するために、ビデオ表示能力を有するＵＭＴＳ（Universal Mobile Telecommunication Systemユニバーサル移動電気通信システム）タイプのその電話により、ポータルサーバ５を呼び出す。ポータルかつマルチメディアサーバ５は、様々なタイプの電話装置の識別、コンテンツの分析及び変形、並びにコンテンツのフォーマットの適合インタフェースを有する。従って、ＵＭＴＳ、ＧＳＭ、ＧＰＲＳ（General Packet Radio Service汎用パケット無線サービス）、Ｉ−モードを備えた携帯電話、及び古典的な有線又は無線電話のような電話規格の共存及び互換性を確保することができる。サーバはビデオメッセージの受信者２３が、マルチメディア表示能力を有さないＧＳＭタイプの電話を有することを識別する。その場合、サーバは、マルチメディアメッセージを受信したことを受信者に通告するために、ＧＳＭとの互換性があるメッセージ、例えばＳＭＳ（Short Message Serviceショートメッセージサービス）を送信する。サーバは、視聴覚マルチメディアメールの存在を示す音声メッセージを送信すること、又はマルチメディアメッセージの音声部分を利用者に到達させることも同様に可能である。受信者２３は、ポータルサーバに接続され、かつ識別後に、サーバは受信者に、端末（１１、１２又は１３）のいずれにその視聴覚コンテンツを表示することを望むか、尋ねる。クライアントは、ビデオコンテンツを受信することを望む表示スクリーン１３によって、ＳＴＢ８３の番号を例えば指定する。サーバは、表示装置が、利用可能であり、かつ他の利用者によって使用中でないか確認し、かつネットワークの容量、及び表示スクリーンのタイプに応じて、ＳＴＢ８３への連結６３を通してコンテンツを変形し、適合させ、かつ転送することを決定する。サーバは、ＳＴＢ中で変更されないビデオコンテンツを送信することも同様にでき、その時、ＳＴＢ８３は、その分析及び変更ツールにより、コンテンツ又はスクリーンのタイプに応じて受信するデータを変形することを決定できる。
【００７８】
もう１つの応用例は、利用者９７が、コンピュータを備え、かつ連結９８を通して、ＵＭＴＳ電話を備えた利用者２１及びＧＳＭ電話を備えた利用者２３に同じ視聴覚メッセージを送信することを決定する場合である。
【００７９】
その場合サーバは、ビデオメッセージの受信者がマルチメディア表示能力のないＧＳＭタイプの電話を有することを確認する。従ってサーバは、受信者がマルチメディアメッセージを受信したことを受信者に通告するために、ＧＳＭと互換性を有するメッセージ、例えばＳＭＳ（Short Message Serviceショートメッセージサービス）を送信する。サーバは、視聴覚メールの存在を示す音声メッセージを送信すること、又は視聴覚メッセージの音声部分を利用者に到達させることも同様にできる。受信者２３は、ポータルサーバに接続され、かつ識別後に、ビデオコンテンツを受信することを望むＳＴＢ、例えばテレビスクリーン７２を有する装置８２、の番号を指定する。サーバは、表示装置が、利用可能であるか確認し、かつネットワークの容量、及び表示スクリーンのタイプに応じて、コンテンツを変形し、適合させ、かつそれを転送することを決定する。サーバは、ＳＴＢ中で変更されないビデオコンテンツを送信することも同様にでき、その時、ＳＴＢは、その分析及び変更ツールにより、コンテンツ又はスクリーンのタイプに応じて受信するデータを変形することを決定できる。
【００８０】
携帯電話ＵＭＴＳ２１を有する利用者としては、ポータルサーバを経由して、そのメッセージ通信中にマルチメディアコンテンツを受信したこと、及びこの視聴覚マルチメディアコンテンツは、利用者９７によって送信されたことを示す情報を受信する。情報は、テキスト、音声形状でも良く、かつ／又はメッセージ通信中に到達したビデオ又はオーディオデータの全部又は一部を含み得る。メッセージのコンテンツに応じて、利用者は、メッセージをテレビスクリーン、又はその携帯電話のスクリーンに表示したいか決定し、後者は、マルチメディア表示能力を有する。利用者は、サーバに接続され、かつその識別及びその電話の識別後に、ＵＭＴＳセッションがサーバのネットワーク及びＵＭＴＳ電話間の対応する通信のプロトコルによって確立される。
【００８１】
通信プロトコルは、データ輸送を行うために守るべき規則を確立する。使用される通信プロトコルは、ＵＭＴＳ無線アクセスネットワーク（UMTS Radio Access Network）（ＵＴＲＡＮ）と呼ばれるＵＭＴＳの無線部分中に存在し、かつＯＳＩ／ＩＳＯモデルの低い層に基づく。その機能性は、利用者の装置２１及びポータルかつマルチメディアサーバにリンクされた固定無線網３間で配分される。複雑な通信プロセスは、層によって組織される。サーバは、受信器にデマンドをし、かつ両者間の連結が、幾つかのステップを含む、両者間のメッセージのプロトコル交換によって確立される時、サービスが確認されたと言われる。サーバは接続を要求し、かつ電話に到達したデマンド表示の際、電話が応答し、かつ確認がサーバに送信される。電話番号及び表示装置の識別後に、サーバは、端末まで輸送され、かつ端末によってカプセルから除かれる、カプセルに入れられたＩＤＵ（Interface Data Unitインタフェースデータユニット）ブロックを形成するまで、相次ぐ幾つかの調査によってデータをカプセルに入れながら、データを作成する。物理的層のレベルで、輸送サービスは、２つのタイプである：すなわち接続モード（回路モード）及び非接続モード（パケットモード）である。輸送モードの選択は、サーバ及び端末によって決定される。例えば、接続モードは、ＵＭＴＳ端末が（従って利用者が）、流量、最大許容誤り率、及び最大転送期間の点でマルチメディアデータの転送条件を交渉することを可能にするので、端末は、接続モードで輸送サービスを確立することを決定する。交渉が成功したならば、接続が確立され、かつ解放デマンドがサーバ又は端末の側から来るまで、有効なままになる。このステップの間、データは端末に向けて転送される。ＵＭＴＳの輸送プロトコルは、データが経路中で転送される条件を変えることを可能にし、かつ特にこのことは、データのタイプ及び転送速度の点での要求が、大きな比率で変わり得るマルチメディア情報輸送に特に適する。転送が終了すると、「ＲＥＬＥＡＳＥ」と呼ばれるＵＭＴＳサービスによってセッションが閉鎖される。転送中に、電話分析装置が、例えば最大許容率よりも大きな過度の誤りを検出するならば、「ＡＢＯＲＴ」と呼ばれるＵＭＴＳサービスを用いてセッションを直ちに中断することができる。例えばネットワークが、評価されるチャネルの質を、マルチメディアデータの転送に十分でないと判断するならば、ネットワークとしては、「Ｐ−ＡＢＯＲＴ」と呼ばれるＵＭＴＳ機能性によっていかなる時点でもセッションを中断することが同様にできる。
【００８２】
サーバが、データをパケットモードで転送することを決定するならば、無線チャネルリソースが、データの質、利用可能な無線リソース、及び利用者が支払う用意のある料金に応じて割り当てられ、このモードは、大量の情報輸送に非常に適している。
【００８３】
データは、輸送チャネルで分割され、かつＵＴＲＡＮアーキテクチャの上層のプロトコルによって制御される物理的層によって転送される。輸送チャネルは、２つのタイプであり得る：すなわち（回路又はパケットモードに関して）専用及び（ネットワーク及び端末間の情報交換に関して）共同である。各チャネルは、特殊なデータ送信に適している。例えば、ビデオデータをＵＭＴＳ端末に向けて送信するためにＤＣＨ（Dedicated Channel専用チャネル）チャネルが、接続モードで情報を転送するために専ら利用者によって専用モードで利用されるか、又はＵＭＴＳ端末を備えた数人の利用者によるパケットモードでの転送のために共有された専用モードでも使用され得る。
【図面の簡単な説明】
【００８４】
【図１】本発明による配給システムの原理の図式である。
【図２】本発明によるシステムの好ましい実際例を表す。
【符号の説明】
【００８５】
２  電話
３  広域電気通信網
５  サーバ
７  表示装置
８  インタフェース装置
１０  電話
【図１】
2005510965.tif 000003
【図２】
2005510965.tif 000004
【国際調査報告】
2005510965.tif 000005
2005510965.tif 000006
2005510965.tif 000007
2005510965.tif 000008